(57)【特許請求の範囲】
【請求項１】
１枚のブランク板から組み立てられた前面、天面、後面、底面、右側面、左側面の六面体状のカートンにおいて、
前記天面と前記後面との間に円弧状曲面が設けられ、
前記天面及び後面は、天板及び後板からなり、前記円弧状曲面は前記天板と前記後板を連接する曲面形成領域からなり、前記曲面形成領域に平行な複数の罫線が設けられており、
前記前面は、前板と前記前板の内側に重ねられた内前板からなり、前記前板に前記底面側に突出する摘み部が設けられ、前記摘み部の根元両側から前記前板、前記天板及び前記後板に連続して伸びる２筋の破断線が形成されており、
前記摘み部は、前記前板の左右の略中央に切断線により形成され、前記摘み部と対向する前記天面側の位置に前記天面側に膨らむ切込で差込部が区画形成され、
前記内前板は、前記差込部が差し込み可能な係止部が形成されるとともに前記天面側の端部の略中央に前記底面側に凹む凹部が設けられており、
前記天板の前記前面よりの略中央部分より前記前板に向かい放射状に拡開する罫線が前記天板から前記前板に跨って設けられていることを特徴とするカートン。
【請求項２】
前記破断線が、ミシン目であることを特徴とする請求項１記載のカートン。
【請求項３】
前記係止部が切込で形成されていることを特徴とする請求項１または請求項２に記載のカートン。
【発明の詳細な説明】
【技術分野】
【０００１】
本発明は、天面に大きな開口部を有するトップオープン方式の再封可能なカートンに関し、詳しくは、再開封時にワンタッチ開封機能を備えたカートンに関する。
【背景技術】
【０００２】
従来、チョコレート、キャンディー、スナック菓子等の粒状、小片状の食品やポリ袋等の日用品等を収納するカートンとして天面パネルを大きく開封して中身を取り出すトップオープン方式のカートンが広く使用されている。また開封後は再封機能を備えていることも知られている。
代表的なトップオープン方式のカートンとして、天面パネルから延設したフラップパネルを前面パネルと貼着し、内容物を収納後、折り込みフラップおよびサイドパネルを貼着することにより、箱体を形成する紙箱であって、開封時には、フラップパネルの一部からなる摘み部を引っ張り、破断線に沿ってフラップパネルと天面パネルを破断することにより２筋の破断線に囲まれた開閉部分を摘み上げ、天面パネルの中央部を大きく開放して内容物を必要なだけ取り出し、その後、一旦開けた開閉部分は、再封に際し、摘み部を前面パネルの切込みに差し込んで閉じることにより、自然に開閉部分が開くことを防止した構成のカートンが知られている（例えば、特許文献１、特許文献２参照）。
【０００３】
上記特許文献１及び特許文献２のカートンは、破断線に沿って、容易に開封でき、開封後は摘み部を切込みに差し込み再封でき便利なものである。しかしながら、再開封時には、一方の手でカートンの開閉部分の近傍を押さえながら他方の手で摘み部を摘みながら開封するものであり、再開封時に両手を使用するので、例えば、読書中、携帯電話中、パソコン作業中には一旦、作業を中断しなければならず、不便であるという問題がある。
【先行技術文献】
【特許文献】
【０００４】
【特許文献１】特開平９−１９３９２６号公報
【特許文献２】特開２００７−１２６１９４号公報
【発明の概要】
【発明が解決しようとする課題】
【０００５】
そこで本発明は、上記問題を解決すべくなされたものであり、その目的とするところは、天面に大きな開口部を有するトップオープン方式の再封可能なカートンであって、再開封時に片手でワンタッチするだけで開封できるカートンを提供することにある。
【課題を解決するための手段】
【０００６】
本発明は、上記課題を達成するために、請求項１記載の本発明は、１枚のブランク板から組み立てられた前面、天面、後面、底面、右側面、左側面の六面体状のカートンにおいて、前記天面と前記後面との間に円弧状曲面が設けられ、前記天面及び後面は、天板及び後板からなり、前記円弧状曲面は前記天板と前記後板を連接する曲面形成領域からなり、前記曲面形成領域に平行な複数の罫線が設けられており、前記前面は、前板と前記前板の内側に重ねられた内前板からなり、前記前板に前記底面側に突出する摘み部が設けられ、前記摘み部の根元両側から前記前板、前記天板及び前記後板に連続して伸びる２筋の破断線が形成されており、前記摘み部は、前記前板の左右の略中央に切断線により形成され、前記摘み部と対向する前記天面側の位置に前記天面側に膨らむ切込で差込部が区画形成され、前記内前板は、前記差込部が差し込み可能な係止部が形成されるとともに前記天面側の端部の略中央に前記底面側に凹む凹部が設けられており、前記天板の前記前面よりの略中央部分より前記前板に向かい放射状に拡開する罫線が前記天板から前記前板に跨って設けられていることを特徴とするカートンである。
【０００７】
また、請求項２記載の本発明は、請求項１記載のカートンにおいて、前記破断線が、ミシン目であることを特徴とするものである。
【０００８】
また、請求項３記載の本発明は、請求項１または請求項２に記載のカートンにおいて、前記係止部が切込で形成されていることを特徴とするものである。
【発明の効果】
【０００９】
本発明は、天面と後面との間に円弧状曲面を設け、円弧状曲面を構成する天板と後板を連接する曲面形成領域に平行な複数の罫線が設けたこと、
前板の内側に重ねられた内前板には天面側の端部の略中央に底面側に凹む凹部を設けたこと、
天板の前面よりの略中央部分より前板に向かい放射状に拡開する罫線が天板から前板に跨って設けたこと、
により再開封時に天面と前面との稜線近傍の天面、すなわち、開封により形成された開封片の天板と前板との間の折れ線の中央近傍の天板部分を一方の手で底面側に押すだけで容易に開封ができるので他方の手で作業ができるので、例えば読書中、携帯電話中、パソコン作業中であっても作業が中断されることなくカートンを再開封することができ、例えば内容物が食品であれば一方の手で食することができる。
【００１０】
また、破断線をミシン目とすることにより、再開封時に破断された破断線同士が引っ掛かることを軽減することができ、カートンの再開封性が一層良好となるものである。
【図面の簡単な説明】
【００１１】
【図１】本発明に係るカートンの第一実施形態を示す斜視図である。
【図２】図１のカートンを組み立てるブランクの展開図である。
【図３】図１のカートンを開封した状態を示す斜視図である。
【図４】図３のカートンを再封した状態を示す斜視図である。
【図５】本発明に係るカートンの第二実施形態を示すブランクの展開図である。
【発明を実施するための形態】
【００１２】
上記の本発明について、図面等を用いて以下に詳述する。
図１は本発明に係るカートンの第一実施形態を示す斜視図、図２は図１のカートンを組み立てるブランクの展開図、図３は図１のカートンを開封した状態を示す斜視図、図４は図３のカートンを再封した状態を示す斜視図、図５は本発明に係るカートンの第二実施形態を示すブランクの展開図であり、図中の１は底面、２は右側面、３は天面、４は左側面、５は前面、６は後面、７は円弧状曲面、８は開口、９は開封片、１０はカートン、１０’は再封されたカートン、１００、２００はブランク板、１１０は底板、１１１は貼着片、１２０は右側板、１２０ａ、１４０ａは曲線部、１２１、１２２、１４１、１４２は折込片、１２２ａ、１４２ａは舌片、１２２ｂ、１４２ｂは凸部、１３０は天板、１４０は左側板、１５０は前板、１５１は摘み部、１５１ａは切断線、１５１ｂは摘み用切欠き、１５１ｃは折罫線、１５２は差込部、１５２ａは切込、１６０は後板、１７０は曲面形成領域、１８０は内前板、１８１は係止部、１８１ａは再封用切欠き、１９０は内後板、１９０ａは切取り部、２８１ａは再封用切込、αは破断線、βは放射状に拡開する罫線、γは罫線、δは凹部をそれぞれ示す。
【００１３】
図１、図３、図４は本発明に係るカートンの第一実施形態を示す斜視図、図２は図１のカートンを組み立てるブランクの一例を示す展開図である。本発明のカートンの第一実施形態は、図１に示すように板紙を基材とする１枚のブランク板１００（図２参照）から組み立てられた前面５、天面３、後面６、底面１、右側面２、左側面４の六面体状のカートンであって、天面３と後面６との間に円弧状曲面７が設けられた形態である。
【００１４】
天面３及び後面６は、図２に示すように天板１３０及び後板１６０からなり、天板１３０と後板１６０を連接する部分に曲面形成領域１７０が設けられ、該曲面形成領域がブランク板１００を組み立ててカートン１０としたとき、天面３から後面６にかけて外面に凸状の傾斜面となった円弧状曲面７を形成するものである。円弧状曲面７を形成する曲面形成領域１７０には平行な複数の罫線γが設けられている。該罫線γは、後述するが、カートンの開封時及び再開封時に重要な役割を果たすものである。罫線γは、右側面２と左側面４に直交する直線状に複数設けられており、平行に設けられた罫線γ間の間隔は通常１〜５ｍｍである。１ｍｍ未満であると、木型に押し刃を埋め込むことが困難となり作業性が低下する恐れがある。５ｍｍを超えるとカートンの開封時に開封された開封片９（図３参照）の反発機能が低下する恐れがあり上方に十分に立ち上がった状態となりにくくなり、大きな開口８（図３参照）が形成されないので内容物が取り出しにくくなる恐れがある。
【００１５】
さらに、天面３の天板１３０の前面５よりの略中央部分より前面５の前板１５０に向かい放射状に拡開する罫線βが天板１３０から前板１５０に跨って設けられている。図１には、天板１３０の前面５よりの略中央部分より前板１５０に跨る放射状に拡開する罫線βを２本設け、さらに該２本の罫線βの外側に広角で天板１３０の前面５よりの略中央部分より天面３と前面５との稜線に達する放射状に拡開する罫線βを２本設けた例を示したが、これに限定されるものではない。天板１３０の前面５よりの略中央部分より前板１５０に跨る放射状に拡開する罫線βは２本以上複数設ける方が再開封性が良くなるので好ましい。
【００１６】
前面５は、前板１５０と前板１５０の内側に重ねられた内前板１８０（図２参照）からなり、前板１５０に底面１側に突出する摘み部１５１が設けられ、摘み部１５１の根元両側から前板１５０、天面３を構成する天板１３０、円弧状曲面７を構成する曲面形成領域１７０及び後面６を構成する後板１６０（図２参照）に連続して伸びる２筋の破断線αが形成されている。摘み部１５１は、前板１５０の左右の略中央に例えばミシン目からなる切断線１５１ａにより形成されている。摘み部１５１と対向する天面３側の位置に天面３側に膨らむ切込１５２ａが形成され、切込１５２ａで区画された領域が差込部１５２とされ、差込部１５２と摘み部１５１は連接している。切込１５２ａの両端と破断線αとの間にそれぞれ折罫線１５１ｃが形成されている。折罫線１５１ｃは開封時の開封操作や再封時の差込部１５２を係止部に差し込む差込操作が容易となるので設ける方が好ましい。
なお、切込１５２ａの両端は摘み部１５１の境界で天面３側にＵターンさせているが、再封操作時に摘み部１５１を折り曲げた際、切込１５２ａよりの破れが防止できるので好ましい形態である。また、摘み部１５１の底面１側には摘み用切欠き１５１ｂが摘み部１５１に隣接して設けられている。摘み用切欠き１５１ｂは必須ではないが摘み部１５１が容易に摘めるので設ける方が好ましい。摘み用切欠き１５１ｂを透して、内前板１８０が覗いている。
【００１７】
図２は、図１のカートンを組み立てるブランクの一例を示す展開図であり、板紙を所定の形状に打抜いて形成した１枚のブランク板１００を示している。ブランク板１００は、横方向の折れ線を介して左側板１４０、天板１３０、右側板１２０、底板１１０、貼着片１１１が連設され、天板１３０の左辺には折れ線を介して前板１５０が連設され、天板１３０の右辺には曲面形成領域１７０を介して後板１６０が連設され、底板１１０の左右の辺には折れ線を介してそれぞれ内前板１８０と内後板１９０が連設され、そして、左側板１４０の左右の辺には折れ線を介してそれぞれ折込片１４１、１４２が連設され、右側板１２０の左右の辺には折れ線を介してそれぞれ折込片１２１、１２２が連設されている。図中の鎖線は折れ線を示している。
【００１８】
前板１５０には略中央に左辺側に突出する細長い摘み部１５１が例えばミシン目からなる切断線１５１ａにより形成されている。摘み部１５１の左側には摘み用切欠き１５１ｂが摘み部１５１に隣接して設けられている。摘み用切り欠き１５１ｂは開封時に摘み部１５１が容易に摘めるので設ける方が好ましい。また、摘み部１５１を形成する切断線１５１ａの両端（摘み部の根元）から前板１５０、天板１３０、曲面形成領域１７０及び後板１６０に連続して伸びる２筋の破断線αが形成されている。破断線αは前板１５０では天板１３０に向かって拡開し、天板１３０及び曲面形成領域１７０では天板１３０及び曲面形成領域１７０の上下端辺に平行に設けられている。このような構成とすることにより、開封時に大きな開口部を形成することができる。
破断線αは、ミシン目、Ｙ字状切れ目、Ｌ字状切れ目、ブランク板の表裏両面からのハーフカット等でもよいがミシン目が好ましく、後述する再開封操作時に破断線αにより破断された断面が相互に引っ掛かることがないので良好な再開封性が得られるものとなる。なお、２本の破断線αは前板１５０に形成した部分のみ、Ｌ字状切れ目のジッパーとした例を示したが、開封時に開封方向が破断線αから外れにくいので好ましい。この部分だけであれば破断された断面が引っ掛かる長さも短く、さらに再開封時の押圧が強く伝播されるので再開封性の妨げになるほどの影響はない。
さらに、前板１５０には、摘み部１５１と対向する天板１３０側の位置に天板１３０側に膨らむ切込１５２ａが形成され、切込１５２ａで区画された領域が差込部１５２とされている。切込１５２ａの両端と破断線αとの間にそれぞれ折罫線１５１ｃが形成されている。連接する差込部１５２と摘み部１５１の境界には折罫線はない。折罫線１５１ｃは開封時の開封操作や再封時の差込部１５２を係止部に差し込む差込操作が容易となるので設ける方が好ましい。
なお、切込１５２ａの両端は摘み部１５１の境界で天面３側にＵターンさせているが、再封操作時に摘み部１５１を折り曲げた際、切込１５２ａよりの破れが防止できるので好ましい態様である。同様に破断線αの両端も天板１３０側にＵターンさせているが、開封時に破断線αの破断進行を停止させるストッパーの役目を果たすものである。破断線αの両端は曲面形成領域１７０と後板１６０の境界で止める方がより再開封性が向上するので好ましい。
【００１９】
また、天板１３０の前板１５０よりの略中央部分より前板１５０に向かい放射状に拡開する罫線βが天板１３０から前板１５０に跨って２本設けられている。さらに２本の前記罫線βの外側に２本の前記罫線βより広角の放射状に拡開する罫線βが天板１３０と前板１５０との間の折れ線に達してそれぞれ設けられている。天板１３０と前板１５０に跨って設けられる放射状に拡開する罫線βは２本以上複数設ける方がワンタッチでの再開封性がより優れるので好ましい。
【００２０】
また、天板１３０と後板１６０との間に設けられた曲面形成領域１７０は、天板１３０の左端辺、及び後板１６０の右端辺に平行に所定の幅で天板１３０及び後板１６０の上下方向（図２の縦方向）の長さと略同じ長さで細長い帯状に設けられている。曲面形成領域１７０には、上下方向に天板１３０及び後板１６０の端辺に平行に直線状の罫線γが複数設けられている。複数の罫線γは平行であることはいうまでもない。罫線γは２本以上を設けることが好ましく、平行に設けられた罫線γ間の間隔は前述の通り通常１〜５ｍｍである。また、罫線γは、破断線αに重ならないように断続させることが好ましく、開封が容易となる。
【００２１】
また、内前板１８０には、カートン１０を開封後、再封する際に差込部１５２を差し込む係止部１８１が形成されている。該係止部１８１は、内前板１８０の左端に対して凹んだ三日月状に切り取られた再封用切欠き１８１ａである。再封用切欠き１８１ａは内前板１８０の左端に対して凹んだ形状であればよく図示した形状に限定されるものではない。
さらに内前板１８０の左辺中央には左辺から底板１１０側に凹む凹部δが設けられている。この凹部δは、再封されたカートン１０’（図３参照）を再開封する際、天板１３０の前板１５０側の折れ線中央近傍を下に押すと凹部δが設けられているので天板１３０が下方に撓み係止部１８１に差し込まれた差込部１５２が係止部１８１から外れることにより、片手でワンタッチ操作で再開封できるというものである。
また、折込片１２２、１４２には後板１６０側に舌片１２２ａ、１４２ａがそれぞれ延設されている。舌片１２２ａ、１４２ａは、カートン内に収納される内袋がカートンの隙間から飛び出させないようにするものである。
【００２２】
また、右側板１２０の右上角には折込片１２２と天板１３０との間に曲線部１２０ａが設けられ、左側板１４０の右下角には折込片１４２と天板１３０との間に曲線部１４０ａが設けられ、曲線部１２０ａ、１４０ａの長さは、曲面形成領域１７０の左右方向の長さに相当するように設けられ、ブランク板をカートンに組み立てた際、曲面形成領域１７０の上端辺及び下端辺がそれぞれ沿うようになっている。
さらに折込片１２２、１４２には凸部１２２ｂ、１４２ｂが設けられ、内後板１９０の上右隅及び下右隅に切取り部１９０ａが設けられている。そしてブランク板１００を組み立てた際、後面６は外側から後板１６０、内後板１９０が重ねられ、さらに両端にそれぞれ折込片１２２、１４２が折り込まれて重ねられたとき、折込片１２２、１４２に設けられた凸部１２２ｂ、１４２ｂと内後板１９０の上右隅及び下右隅に設けられた切取り部１９０ａが対応する位置関係となり、凸部１２２ｂ、１４２ｂはそれぞれ後板１６０の内面と直接接着される構成とされている。
このような構成にする方が、折込片１２２、１４２が内後板１９０および後板１６０に接着され固定できるので、カートン１０が綺麗に成形できるとともに強度も上がる。
【００２３】
上記ブランク１００からカートン１０を組み立てて内容物を収容するには、まず、底板１１０及び貼着片１１１を折れ線で右側板１２０側に折返し、つぎに、左側板１４０を折れ線で天板１３０側に折り曲げて貼着片１１１を左側板１４０の内面に貼着することにより、折り畳んだ状態のカートン１０とする。この貼り合せは汎用の製函機でサック貼りすることにより作製できる。
【００２４】
つぎに、このサック貼りして折り畳んだ状態のカートン１０を、内容物を充填する工程で角筒状に起こし、両方の折込片１２２、１４２を内側に折り曲げてから、内後板１９０、後板１６０の順にそれぞれ内側に折り曲げて後板１６０と内後板１９０並びに後板１６０と折込片１２２及び１４２を相互に接着することにより、一方の側を閉鎖し、後面６と円弧状曲面７を形成する。この状態で他方の開口から内容物を充填する。そして、内容物を収容した後、両方の折込片１２１、１４１を内側に折り曲げてから、内前板１８０、前板１５０の順にそれぞれ内側に折り曲げて内前板１８０と前板１５０を接着することにより他方の側を閉鎖する。以上の工程で図１に示すカートン１０が完成する。
なお、折込片１２１、１４１は内前板１８０の内面にも接着してもよい。
【００２５】
図１のカートン１０を開封するには、前板１５０の摘み部１５１を摘んで引っ張り上げ、摘み部根元の両端から２本の破断線αに沿って前板１５０、天板１３０、曲面形成領域１７０を順に引き裂くことにより開封され、図３に示すように、開封された開封片９は、円弧状曲面７が設けられていること、及び円弧状曲面に複数の罫線γが設けられていることにより上方に立ち上がった状態となり天面３から後面６にかけて大きな開口８が形成されるので収容された内容物が取り出しやすい。
【００２６】
つぎに内容物を取り出した後、再封に際しては、摘み部１５１の対向する位置に設けられた差込部１５２を、内前板１８０に設けられている再封用切欠き１８１ａに差込むことにより開封片９を係止することにより再封することができる。図４に再封されたカートン１０’の状態を示す。
【００２７】
つぎに、図３、図４を参照しながら再封されたカートン１０’を再開封する方法について説明する。
再封されたカートン１０’を再開封するには、開封片９の天面３と前面５との稜線近傍の天面３を一方の手で下方に押すと、内前板１８０には凹部δが設けられているので開封片９の天板１３０部分が下方に撓むと共に、開封片９の前板１５０の部分に天板１３０並びに天板１３０及び前板１５０に設けられた放射状に拡開する罫線βに沿って開封片９が上方に反転しようとする力が働くために再封用切欠き１８１ａに差し込まれた差込部１５２が再封用切欠き１８１ａから容易に外れるので片手でワンタッチするだけで再開封できる。
さらに開封片９は、円弧状曲面７及び罫線γにより再封時の曲げられた状態から開封時の伸ばされた元の状態に戻ろうとする反発力により上方に持ち上げられるので再び大きな開口８を形成することが可能となる。
このように、本発明は、天面３と後面６との間に円弧状曲面７を設けたこと、
円弧状曲面７を構成する曲面形成領域１７０に平行な複数の罫線γを設けたこと、
内前板１８０の天面３側の端部の略中央に底面１側に凹む凹部δを設けたこと、
天板１３０から前板１５０に向かい放射状に拡開する罫線を天板１３０から前板１５０に跨って設けたこと、
による相乗効果により再封されたカートン１０’を一方の手で容易に再開封ができるので他方の手で例えば読書、携帯電話、パソコン等の作業ができ、作業が中断されることがないので例えば内容物が食品であれば一方の手で食することができ便利なものとなる。
【００２８】
図５は、本発明に係るカートンの第二実施形態を示すブランクの展開図であり、係止部１８１の形態が異なる以外は第一実施形態のブランクと同じである。
本発明に係るカートンの第二実施形態のブランク板２００の内前板１８０には、カートン１０を開封後、再封する際に差込部１５２を差し込む係止部１８１が形成されている。該係止部１８１は、内前板１８０の左端に対して凹んだ切込からなり、切込の両端は底板１１０側向かってＵターンした形状の再封用切込２８１ａで構成されている。再封用切込２８１ａは内前板１８０の左端に対して凹んだ切込であればよく図示した形状に限定されるものではない。また、切込の両端は図示したように底板１１０側に方向転換させる形状とすることにより、差込部１５２を差し込んだ際、再封用切込２８１ａが両端より破れることを防ぐことができ、Ｕターン形状に限定されるものではない。また、係止部１８１を再封用切込２８１ａとすることにより、再封性がよくなるものである。その他は、第一実施形態と同じであり、同符号を付して説明を省略する。
【００２９】
本発明のカートン１０に用いられる基材としては、コートボール、ノーコートボール、カード紙、アイボリー、クラフトボール等のコート紙、ノーコート紙等の板紙が使用できる。坪量としては、１８０ｇ／ｍ2 〜６００ｇ／ｍ2 が好ましい。使用されるカートンの用途、サイズ等により、紙の種類、坪量は適宜選定できる。
また、用途によっては、板紙の表面にプラスチックフィルムを貼ることもでき、プラスチックフィルムとしてはポリプロピレン、ポリエステル、スチレン、塩化ビニル、ポリ乳酸等を用いることができる。
【実施例】
【００３０】
［実施例１］
基材として、坪量３１０ｇ／ｍ2 のコートボールを使用し、オフセット印刷機でＵＶ印刷してコート面に絵柄層と表面層を設けた。その後、打抜機を使用して印刷されたコートボールを打抜いて図２に示すブランク板１００を作製した。つぎに製函機によりブランク板１００を筒状にサック貼りし、折り畳まれたカートン１０を作製した。ついで充填機で筒状の折り畳まれたカートンを起函し一方の開放端を閉鎖し、内容物を充填後、他方の開放端を閉鎖し、図１に示すカートン１０を作製した。カートン１０の外寸は幅１２０ｍｍ×奥行９０ｍｍ×高さ４５ｍｍとし、傾斜面の長さは２０ｍｍとした。
【００３１】
［実施例２］
実施例１のブランク板に設けた係止部を再封用切込２８１ａとして図５に示すブランク板２００を作製した。それ以外は実施例１と同じとした。
【００３２】
上記で作製した実施例１、２とも摘み部より破断線に沿って開封でき天面に大きな開口を形成することができた。さらに、開封片を元に戻し差込部を係止部に差込むことにより再封できた。その後、開封片の天面と前面の稜線近傍の天面の中央を片方の指で下方に押し込むと容易に開封片の差込部が係止部より外れ再開封することができた。開封片は上方に立ち上がった状態を保持し、内容物を容易に取り出すことができた。
【符号の説明】
【００３３】
１                                      底面
２                                      右側面
３                                      天面
４                                      左側面
５                                      前面
６                                      後面
７                                      円弧状曲面
８                                      開口
９                                      開封片
１０                                      カートン
１０’                                    再封されたカートン
１００、２００                              ブランク板
１１０                                      底板
１１１                                      貼着片
１２０                                      右側板
１２０ａ、１４０ａ                          曲線部
１２１、１２２、１４１、１４２              折込片
１２２ａ、１４２ａ                          舌片
１２２ｂ、１４２ｂ                          凸部
１３０                                      天板
１４０                                      左側板
１５０                                      前板
１５１                                      摘み部
１５１ａ                                    切断線
１５１ｂ                                    摘み用切欠き
１５１ｃ                                    折罫線
１５２                                      差込部
１５２ａ                                    切込
１６０                                      後板
１７０                                      曲面形成領域
１８０                                      内前板
１８１                                      係止部
１８１ａ                                    再封用切欠き
１９０                                      内後板
１９０ａ                                    切取り部
２８１ａ                                    再封用切込
α                                      破断線
δ                                      凹部
β                                      放射状に拡開する罫線
γ                                      罫線
【図１】
0005811840.tif 000002
【図２】
0005811840.tif 000003
【図３】
0005811840.tif 000004
【図４】
0005811840.tif 000005
【図５】
0005811840.tif 000006